(57)【特許請求の範囲】
【請求項１】
表面側の第１層（１）と、裏面側の第３層（３）との間に、第２層（２）が介在させられた３重織りの組織によって構成され、第１層の横糸（１１）と第３層の横糸（３１）と上記第１層と第３層の縦糸（４、５）とが低収縮糸とされ、第２層（２）の横糸（２１）が上記低収縮糸より収縮率の高い高収縮糸を含むものであり、上記低収縮糸と上記高収縮糸との収縮率の差が５％以上であり、
上記第１層（１）と第３層（３）とは、それぞれの横糸（１１、３１）の表裏に上記の縦糸（４、５）が配位されて織成された組織であり、
上記第２層（２）が地組織を構成し、上記第１層（１）と第３層（３）が表組織と裏組織となり、
上記第１層（１）と第３層（３）とは、間隔を置いて第２層（２）の地組織に固定された襞状組織となるのであり、且つ、上記第１層（１）と第３層（３）とが同じ列の縦糸（４、５）による固定のための組織（ｋ）によって第２層（２）の地組織に固定されたものであり、
織地の織成後に加熱して上記高収縮糸である第２層（２）の横糸（２１）を収縮させることによって、相対的に上記低収縮糸である第１層の横糸（１１）と第３層の横糸（３１）が弛み、表裏の第１層（１）と第３層（３）とが弛んで襞状に浮き上がったものであることを特徴とするタオル地のアパレル製品。
【請求項２】
表面側の第１層（１）と、裏面側の第３層（３）との間に、第２層（２）が介在させられた３重織りの組織によって構成され、第１層の横糸（１１）と第３層の横糸（３１）と上記第１層と第３層の縦糸（４、５）とが低収縮糸とされ、第２層（２）の横糸（２１）が上記低収縮糸より収縮率の高い高収縮糸を含むものであり、上記低収縮糸と上記高収縮糸との収縮率の差が５％以上であり、
上記第２層（２）が地組織を構成し、上記第１層（１）と第３層（３）が表組織と裏組織となり、
上記第１層（１）と第３層（３）とは、間隔を置いて第２層（２）の地組織に固定された襞状組織となるのであり、且つ、上記第１層（１）と第３層（３）とが同じ列の縦糸（４、５）による固定のための組織（ｋ）によって第２層（２）の地組織に固定されたものであり、
織地の織成後に加熱して上記高収縮糸である第２層（２）の横糸（２１）を収縮させることによって、相対的に上記低収縮糸である第１層の横糸（１１）と第３層の横糸（３１）が弛み、表裏の第１層（１）と第３層（３）とが弛んで襞状に浮き上がったものであることを特徴とするタオルマフラー。
【発明の詳細な説明】
【０００１】
【発明の属する技術分野】
本願発明は、タオル及びタオルマフラーに関する。
【０００２】
【従来の技術】
従来より、パイル織りは、織物地に立体感を出すための重要な手法であり、タオル地等に広く用いられてきた。このパイル織りは、縦糸でパイルを形成するものであり、このパイルは織機のビーム整経で行われている。そのため、柄をパイル組織で表現しようとすると、指定の糸をビーム整経する必要があり、少ロット多品目の生産体制をとりにくいという課題がある。
【０００３】
【発明が解決しようとする課題】
本願発明は、新たな感覚の表現が可能であって、少ロット多品目の生産にも適するタオル地及びその製造方法を提供せんとするものである。
【０００４】
【課題を解決するための手段】
本願の第１の発明は、表面側の第１層１と、裏面側の第３層３との間に、第２層２が介在させられた３重織りの組織によって構成され、第１層の横糸１１と第３層の横糸３１と上記第１層と第３層の縦糸４、５とが低収縮糸とされ、第２層２の横糸２１が上記低収縮糸より収縮率の高い高収縮糸を含むものであり、上記低収縮糸と上記高収縮糸との収縮率の差が５％以上であり、
上記第１層１と第３層３とは、それぞれの横糸１１、３１の表裏に上記の縦糸４、５が配位されて織成された組織であり、
上記第２層２が地組織を構成し、上記第１層１と第３層３が表組織と裏組織となり、
上記第１層１と第３層３とは、間隔を置いて第２層２の地組織に固定された襞状組織となるのであり、且つ、上記第１層１と第３層３とが同じ列の縦糸４、５による固定のための組織ｋによって第２層２の地組織に固定されたものであり、
織地の織成後に加熱して上記高収縮糸である第２層２の横糸２１を収縮させることによって、相対的に上記低収縮糸である第１層の横糸１１と第３層の横糸３１が弛み、表裏の第１層１と第３層３とが弛んで襞状に浮き上がったものであることを特徴とするタオル地のアパレル製品を提供する。
本願の請求項２の発明は、表面側の第１層１と、裏面側の第３層３との間に、第２層２が介在させられた３重織りの組織によって構成され、第１層の横糸１１と第３層の横糸３１と上記第１層と第３層の縦糸４、５とが低収縮糸とされ、第２層２の横糸２１が上記低収縮糸より収縮率の高い高収縮糸を含むものであり、上記低収縮糸と上記高収縮糸との収縮率の差が５％以上であり、
上記第２層２が地組織を構成し、上記第１層１と第３層３が表組織と裏組織となり、
上記第１層１と第３層３とは、間隔を置いて第２層２の地組織に固定された襞状組織となるのであり、且つ、上記第１層１と第３層３とが同じ列の縦糸４、５による固定のための組織ｋによって第２層２の地組織に固定されたものであり、
織地の織成後に加熱して上記高収縮糸である第２層２の横糸２１を収縮させることによって、相対的に上記低収縮糸である第１層の横糸１１と第３層の横糸３１が弛み、表裏の第１層１と第３層３とが弛んで襞状に浮き上がったものであることを特徴とするタオルマフラーを提供する。
【０００５】
【発明の実施の形態】
以下、図面に基づき本願発明の実施の形態について説明する。
図１は第１の実施の形態に係るタオルの織地の断面図であり、（Ａ）は織成時の断面図であり、（Ｂ）は収縮工程完了時の断面図である。
【０００６】
この実施の形態に係るタオルの織地は、３重織りの組織によって構成されたもので、表面側の第１層１と、裏面側の第３層３との間に、第２層２が介在させられている。
第２層の横糸２１を、収縮性の高い高収縮糸とし、第１層の横糸１１と第３層の横糸３１とを、第２層の横糸２１（高収縮糸）より収縮性の低い低収縮糸とする。
縦糸４、５は、特に限定されないが、一般には低収縮糸を用いる。
【０００７】
組織自体は、織地の柄等によって種々変更できるが、第２層２が地組織を構成し、第１層１と第３層３が表組織と裏組織となり、この表裏の両組織が襞状組織となる。図１に示すように、第１層１と第３層３とは、それぞれの横糸１１、３１の表裏に上記複数の縦糸４、５が配位されて織成されたものであり、この襞状組織となる第１層１と第３層３は、適宜間隔で第２層２の地組織に固定される。この固定のための組織ｋは適宜変更できるが、この例では、平織り組織として実施されている。又、この例では９列目と１０列目の縦糸で固定のための組織ｋを形成したが、この位置は適宜変更できる。一つの編地で同位置を種々変更してより複雑な織柄を形成するようにしてもよい。
なお、第２層の横糸２１は、全てを高収縮糸とする必要はなく、所定本数ごとに、高収縮糸を用いて実施すれば足りる。
【０００８】
次に、織成された織地は、糸の収縮工程に付される。この例では、高伸縮糸として、熱により収縮する糸を用いているため、織地に熱を加えて高収縮糸を収縮させる。この種の高収縮糸としては、熱収縮率の高い合成繊維を用いた糸、具体的には、ポリウレタを用いた糸（例えは、東洋紡のエスパ（商標））や、塩化ビニル系繊維を用いた糸（例えは、テイジンのテビロン（商標））、アクリル繊維を用いた糸等を挙げることかできる。他方、低収縮糸としては、綿糸を用いることができる。両糸の収縮率の差は、５〜５０％、より好ましくは２０〜４０％とするが、５０％を超えても実施可能である。
【０００９】
この加熱による収縮工程は、織地の後加工として行われるさらし工程や染色工程における加熱によって行うこともでき、このように他の工程と併用すれば、工程数を増やす必要がなく有利である。
【００１０】
上記の収縮工程にて、 高収縮糸を収縮させることによって、相対的に低収縮糸が弛む。すなわち、地組織（第２層２）が収縮し、表裏の第１層１と第３層３とが弛み、襞状に浮き上がる（図１（Ｂ）参照）。この襞状の組織は、固定のための組織ｋ、ｋの間の第１層１と第３層３が弛んで浮き上がることによって形成されるものである。
【００１１】
次に、図２は上記図１の織地と併用することができる織地の断面図であり、（Ａ）は織成時の断面図であり、（Ｂ）は収縮工程完了時の断面図である。
【００１２】
この実施の形態に係る織地は、図１の襞状組織と併用して使用されるものであり、表面側の第１層１と、裏面側の第３層３との間に、第２層２が介在させられた３重織りの組織によって構成されたものであるが、第１層１と第３層の横糸１１、３１を、パイル状に浮かせるようにした点が先の例と異なるものであり、以下の説明では第１の例との相違点を中心に説明し、同一の部分については、その説明を省略する。
【００１３】
織組織は、織地の柄等によって種々変更できるが、第２層２が地組織を構成し、第１層１と第３層３がパイル組織となる。このパイル組織となる第１層１と第３層３は、横糸が１１、３１が浮き糸として、縦糸４、５の表面側に配位されるようにして織成される。この横糸１１、３１は、適宜間隔で第２層２の地組織に固定される。この固定のための組織ｋは適宜変更できるが、この例では、平織り組織として実施されている。
【００１４】
織成後に高収縮糸を収縮させることによって、相対的に低収縮糸が弛む。すなわち、地組織（第２層２）が収縮し、表裏の第１層１と第３層３とが弛み、横糸１１、３１が、パイル状に浮き上がる（図２（Ｂ）参照）。
【００１５】
以上の説明から明らかなように、襞状組織やパイルが、横糸によって形成されるため、この横糸に種々の色彩の糸を用いることによって、少ロットで多数の柄を容易に製造できる。また、織り柄についても、種々の組織の組み合わせを、横糸のみの変更によって容易に行うことができる。なお、縦糸の変更により、さらに多様な織り柄を表現するようにしてもよい。
【００１６】
【発明の効果】
本願発明は、新たな感覚の表現が可能であって、少ロット多品目の生産にも適するタオル及びタオルマフラーを提供することかができたものである。特に、本願発明は、綿糸を中心としたタオル地として実施できるに止まらず、タオルの概念を超えた多様な表現が可能であり、マフラー等のタオル地のアパレル製品等として実施することができるものである。
【図面の簡単な説明】
【図１】  第１の実施の形態に係る織地の断面図であり、（Ａ）は織成時の断面図であり、（Ｂ）は収縮工程完了時の断面図である。
【図２】  第１の実施の形態に係る織地と併用できる織地の断面図であり、（Ａ）は織成時の断面図であり、（Ｂ）は収縮工程完了時の断面図である。
【符号の説明】
１       第１層
２       第２層
３       第３層
４、５   縦糸
１１     第１層の横糸
２１     第２層の横糸
３１     第３層の横糸
【図１】
0004623856.tif 000002
【図２】
0004623856.tif 000003